(57)【要約】【課題】オーバーヘッドコンベア１の保守点検用歩行路を兼用する保安装置１９からの作業者の落下防止を図る。【解決手段】搬送用走行体３の走行経路中に当該搬送用走行体３を昇降させる昇降手段１２が配設されたオーバーヘッドコンベアの前記搬送用走行体３の走行経路下に、保守点検用歩行路を兼用する保安用帯状水平材２０が、前記昇降手段１２による搬送用走行体３等の昇降経路で分断されるように架設されたオーバーヘッドコンベアの保安装置１９に於いて、前記保安用帯状水平材２０の、前記昇降経路に隣接する端２０ａとそれより適当距離手前位置２０ｂとの間の部分が、前記昇降経路側が下がるように傾けられ、この傾斜領域２０ｃの下端に柵等の落下防止策２３が講じられた構成。【選択図】　　図１
2004114985.tif 000002
【特許請求の範囲】
【請求項１】
搬送用走行体の走行経路途中で当該走行経路の下側に、当該搬送用走行体で搬送される被搬送物等の昇降経路が設けられたオーバーヘッド搬送設備であって、前記搬送用走行体の走行経路の下側に、保守点検用歩行路を兼用する保安用帯状水平材が、前記昇降経路で分断されるように架設されたオーバーヘッド搬送設備の保安装置に於いて、前記保安用帯状水平材の、前記昇降経路に隣接する端とそれより適当距離手前位置との間の部分が、前記昇降経路側が下がるように傾けられ、この傾斜領域の下端に柵等の落下防止策が講じられている、オーバーヘッド搬送設備の保安装置。
【請求項２】
前記保安用帯状水平材の傾斜領域がスロープで構成されている、請求項１に記載のオーバーヘッド搬送設備の保安装置。
【請求項３】
前記保安用帯状水平材の傾斜領域が階段で構成されている、請求項１に記載のオーバーヘッド搬送設備の保安装置。
【請求項４】
前記保安用帯状水平材の傾斜領域下端の落下防止策が、上端が前記傾斜領域を除く保安用帯状水平材と略同一レベルの柵で構成されている、請求項１〜３の何れかに記載のオーバーヘッド搬送設備の保安装置。
【発明の詳細な説明】
【０００１】
【発明の属する技術分野】
本発明は、オーバーヘッド搬送設備の保守点検用歩行路を兼用する保安装置に関するものである。
【０００２】
【従来の技術】
オーバーヘッド搬送設備では、搬送用走行体が吊り下げ状態で搬送する被搬送物やその部品等の不測の落下事故が発生した場合、その落下物が当該搬送用走行体の走行経路下方の床面上にまで落下するのを防止するために、搬送用走行体の走行経路下には、一般に金属製ネットから構成されて安全網と呼称される保安用帯状水平材が架設される。而して、この保安用帯状水平材は、オーバーヘッド搬送設備の保守点検用歩行路としても利用されるものであって、一般的には左右両側辺に手摺り用柵が立設されている。
【０００３】
上記のような保安装置を備えたオーバーヘッド搬送設備に於いて、特許文献１に示されるように、搬送用走行体の走行経路中に、搬送される被搬送物を昇降させるために当該搬送用走行体の昇降手段が配設される場合、搬送用走行体の走行経路下に架設される保安用帯状水平材が前記昇降手段による被搬送物（搬送用走行体）の昇降経路で分断されることになる。又、搬送用走行体自体を昇降させないで、当該搬送用走行体に開閉自在なハンガー等で吊り下げられた被搬送物のみを昇降手段で昇降させるオーバーヘッド搬送設備や、搬送用走行体（手段として自走電車形式のもの）に昇降自在に吊り下げられた被搬送物支持手段（開閉自在なハンガー等）を定位置に停止させた搬送用走行体に対して昇降させることが出来るタイプのオーバーヘッド搬送設備に於いても、搬送用走行体の走行経路の下側に前記のような保安装置が配設される場合、その保安用帯状水平材が被搬送物等の昇降経路に於いて分断される。
【０００４】
上記のような状況に於いて、前記保安用帯状水平材が保守点検用歩行路に利用されている場合、前記保安用帯状水平材は、落下物の安全な受け止めが行えるように、搬送用走行体の走行経路との間の空間の高さが出来る限り小さくなるように架設されるものであって、被搬送物等の昇降経路で途切れている保安用帯状水平材の端に柵等の落下防止策を講じることが出来ないため、上方の搬送用走行体のガイドレール等を見上げて保守点検作業する作業者が、前記被搬送物等の昇降経路で途切れている保安用帯状水平材の端から落下する恐れがあり、安全性の面で問題があった。
【０００５】
【特許文献１】
特開昭５７−１０７３０８号公報（図１参照）
【０００６】
【課題を解決するための手段】
本発明は上記のような従来の問題点を解消し得るオーバーヘッド搬送設備の保安装置を提供することを目的とするものであって、その手段を後述する実施形態の参照符号を付して示すと、搬送用走行体３，３０の走行経路途中で当該走行経路の下側に、当該搬送用走行体３で搬送される被搬送物Ｗ等の昇降経路２２が設けられたオーバーヘッド搬送設備であって、前記搬送用走行体３，３０の走行経路の下側に、保守点検用歩行路を兼用する保安用帯状水平材２０が、前記昇降経路２２で分断されるように架設されたオーバーヘッド搬送設備の保安装置１９に於いて、前記保安用帯状水平材２０の、前記昇降経路２２に隣接する端２０ａとそれより適当距離手前位置２０ｂとの間の部分が、前記昇降経路２２側が下がるように傾けられ、この傾斜領域２０ｃの下端に柵等の落下防止策２３が講じられた構成となっている。
【０００７】
上記構成の本発明を実施する場合、前記保安用帯状水平材２０の傾斜領域２０ｃは、作業者が安全に歩行出来る程度の傾斜角度のスロープで構成したり、階段で構成することが出来る。又、前記保安用帯状水平材２０の傾斜領域下端２０ａの落下防止策２３としては、上端２４ａが前記傾斜領域２０ｃを除く保安用帯状水平材２０と略同一レベルの柵２４で構成するのが適当である。
【０００８】
【発明の実施の形態】
以下に本発明の好適実施形態を添付図に基づいて説明すると、図１及び図２に於いて、１は従来周知のオーバーヘッド搬送設備であって、図示のオーバーヘッド搬送設備１は、図示省略しているが推進用プッシャーを備えた駆動チエンをトロリーを介して支持案内するパワーレール２と、前記駆動チエンの推進用プッシャーによって牽引駆動される搬送用走行体３を支持案内するフリーレール４とを備え、搬送用走行体３は、前後一対のロードトロリー５，６によって前記フリーレール４に走行可能に吊り下げられ、前側ロードトロリー５には、前記駆動チエンの推進用プッシャーと係脱自在な先頭トロリー７がロードバー８を介して連結され、後ろ側ロードトロリー６には、後続の搬送用走行体３の先頭トロリー７とが接近してきたときに当該先頭トロリー７と駆動チエンの推進用プッシャーとの係合を外す機能を備えた後端トロリー９がロードバー１０を介して連結されている。又、搬送用走行体３には、被搬送物Ｗを吊り下げる開閉自在なハンガー１１が設けられている。
【０００９】
１２は搬送用走行体３の走行経路中に配設された従来周知の昇降手段であって、前記パワーレール２とフリーレール４とは、この昇降手段１２の位置で分断されている。而して、前記昇降手段１２は、分断された前記フリーレール４を接続させる昇降フリーレール１３と、上手側のフリーレール４上から昇降フリーレール１３上に乗り移る搬送用走行体３を所定位置まで推進させると共に昇降フリーレール１３上の所定位置から下手側のフリーレール４上へ搬送用走行体３を送り出す駆動手段１４（詳細は図示省略している）とを、昇降ガイド支柱１５に昇降自在に支持された昇降体１６に設けたものであり、この昇降体１６が上昇限位置にあるとき、昇降フリーレール１３がオーバーヘッド搬送設備１のフリーレール４と接続する。１７は昇降体１６を吊り下げる昇降駆動用索（ワイヤーロープやチエン等）である。
【００１０】
尚、昇降フリーレール１３は、先頭トロリー７から後端トロリー９までの搬送用走行体３の全長を支持し得る長さを有する。又、オーバーヘッド搬送設備１に於けるパワーレール２は、昇降手段１２の位置で分断させないで、そのまま連続させ、昇降フリーレール１３上の所定位置までの搬送用走行体３の送り込みと、昇降フリーレール１３上の所定位置からの搬送用走行体３の送り出しを、連続するパワーレール２に沿って移動する駆動チエンの推進用プッシャーで行わせる構成の昇降手段であっても良い。要するに昇降手段１２は、オーバーヘッド搬送設備１の搬送用走行体３を当該オーバーヘッド搬送設備１の搬送レベルとそれよりも下方の所定レベル、例えば図２に示すように、被搬送物Ｗを地上のスラット搬送設備１８等に移載する移載レベルとの間で昇降させるものであれば、その具体的な構成は問わないものである。
【００１１】
１９は本発明に基づいて架設された保安装置であって、オーバーヘッド搬送設備１の搬送用走行体３の走行経路の下側に当該走行経路に沿って配置された帯状水平材２０と、この帯状水平材２０の左右両側辺から立設された手摺り用柵２１とから成り、天井側の梁材から吊り下げられたり、床面側から立設された支柱等により支持され、一般的には、帯状水平材２０は、鉄骨製枠組みにエキスパンドメタルやパンチングメタル等の金属製ネット状材を張設して構成されるものである。
【００１２】
上記の保安装置１９の帯状水平材２０の架設レベルは、当該帯状水平材２０とこの上側を走行する搬送用走行体３の下端（この図示例ではハンガー１１の下端）との間の空間の高さが出来る限り小さくなるように設定されている。勿論、被搬送物Ｗの支持方法によっては、搬送用走行体３の下端よりも被搬送物Ｗの下端が下になる場合があり、この場合は、搬送される被搬送物Ｗの下端と帯状水平材２０との間の空間の高さが出来る限り小さくなるように設定される。
【００１３】
而して前記保安装置１９は、図１に示すように、昇降手段１２に於ける昇降フリーレール１３の昇降経路２２の位置で前後に分断されている。即ち、昇降手段１２の昇降フリーレール１３に乗り移った搬送用走行体３やこの搬送用走行体３に支持された被搬送物Ｗは、昇降体１６の昇降駆動により、オーバーヘッド搬送設備１の搬送レベルとこれより下方の所定レベルとの間で昇降させることが出来るが、このときの昇降する部分、即ち、昇降フリーレール１３やこれに支持された搬送用走行体３、当該搬送用走行体３に支持された被搬送物Ｗ等と前記保安装置１９とが干渉しないように、当該保安装置１９が前後に分断されている。
【００１４】
昇降手段１２の位置で前後に分断された保安装置１９は、昇降手段１２に於ける昇降フリーレール１３等の昇降経路２２に隣接する帯状水平材２０の端２０ａと、これより適当距離手前の位置２０ｂとの間の部分が、前記昇降経路２２側が下がるように傾けられ、この傾斜領域２０ｃの下端２０ａに落下防止策２３が講じられている。この落下防止策２３は、上端２４ａが前記傾斜領域２０ｃを除く帯状水平材２０と略同一レベルの柵２４で構成されている。又、帯状水平材２０の左右両側辺から立設された手摺り用柵２１は、前記傾斜領域２０ｃにも連続して設けられるが、図示例では、その上端２１ａを傾斜領域２０ｃの端２０ａまで同一レベルで延長させて、傾斜領域２０ｃの手摺り用柵２１の高さが端２０ａ側ほど高くなるように構成している。しかし、当該手摺り用柵２１は、傾斜領域２０ｃに沿って端２０ａ側ほど下がるように傾斜させ、手摺り用柵２１の高さが略一定になるように構成しても良い。
【００１５】
図１や図３Ａに示すように、保安装置１９の帯状水平材２０の傾斜領域２０ｃは、平らなスロープとして構成することが出来るが、図３Ｂに示すように、階段状に構成することも出来る。何れの場合も、オーバーヘッド搬送設備１のレール２，４の保守点検作業等のために帯状水平材２０の上を歩行する作業者は、昇降手段１２の位置で分断されている場所に到着したとき、自然にその帯状水平材２０の傾斜領域２０ｃ内に入り込み、その傾斜領域２０ｃのスロープや階段によって端２０ａが近いことを認識することが出来るし、誤ってその傾斜領域２０ｃで転んでも、落下防止用柵２４で受け止められるので、昇降手段１２に於ける昇降経路２２内に落下する恐れは無い。このように帯状水平材２０の傾斜領域２０ｃは機能するものであるから、その傾斜領域２０ｃの上端２０ｂと下端２０ａとの間を作業者が安全に歩行出来るように、傾斜領域２０ｃの上端２０ｂと下端２０ａとの間の距離を、当該傾斜領域２０ｃの傾斜角度が安全範囲内に納まるように設定するのが望ましい。
【００１６】
尚、上記実施形態に示した昇降手段１２は、搬送用走行体３をこれが支持する被搬送物Ｗと共に昇降させるものであるが、図４Ａに示すように、走行経路中の定位置に停止した搬送用走行体３と、下方の定位置との間で被搬送物Ｗのみを昇降させる昇降手段２５を設けることも出来る。この場合、昇降手段２５の昇降体２６には被搬送物支持台２７が設けられ、搬送用走行体３に設けられた開閉自在なハンガー１１は、当該搬送用走行体３が走行経路中の定位置に停止した状態で、上昇限位置にある前記被搬送物支持台２７との間での被搬送物Ｗの受け渡しのために開閉操作されることになる。又、保安装置１９は、被搬送物Ｗとこれを支持する昇降体２６の昇降経路によって前後に分断されることになる。
【００１７】
又、オーバーヘッド搬送設備１として、オーバーヘッドトロリーコンベア形式のものを例示したが、天井側に架設されたガイドレールに支持案内されて移動する搬送用走行体を備えるものであれば、どのような形式のものでも良い。例えば、図４Ｂに示すオーバーヘッド搬送設備２８は、ガイドレール２９に支持された自走可能な電車形式の搬送用走行体３０を使用するものであり、当該搬送用走行体３０には、例えば開閉自在なハンガー３１を備えた被搬送物支持手段３２が複数本の吊下ベルト３３等で昇降自在に吊り下げる昇降吊下装置３４が設けられているが、本発明はこのようなオーバーヘッド搬送設備２８にも適用出来る。この場合には、走行経路中の定位置に停止した搬送用走行体３０に対し被搬送物支持手段３２を昇降吊下装置３４で昇降させることになるので、前記保安装置１９は、被搬送物支持手段３２とこれに支持された被搬送物Ｗとの昇降経路２２によって前後に分断される。
【００１８】
【発明の効果】
本発明は以上のように実施し且つ使用することが出来るものであって、係る本発明のオーバーヘッド搬送設備の保安装置によれば、搬送用走行体の走行経路下に架設される保守点検用歩行路を兼用する保安用帯状水平材を前記搬送用走行体の走行経路に十分接近させて架設し、以て、本来の搬送用走行体や被搬送物その他の物品の落下事故を効果的に防止出来るように構成しながら、当該保安用帯状水平材を保守点検用歩行路として使用している状況では、前記搬送用走行体の走行経路中に形成される搬送用走行体、被搬送物、被搬送物支持手段等の昇降経路によって前記保安用帯状水平材が分断された箇所の手前に形成されている傾斜領域によって、当該保安用帯状水平材上を保守点検作業等のために歩行する作業者に注意を促し、仮に当該傾斜領域に入った作業者がその傾斜下方へ転んでも、当該傾斜領域の下端に講じられている柵等の落下防止策によって、前記昇降経路内に作業者が落下する人身事故の発生を未然に防止することが出来る。
【００１９】
尚、請求項２に記載の構成によれば、前記保安用帯状水平材の傾斜領域がスロープで構成されるので、安価に実施出来る。又、請求項３に記載の構成によれば、前記保安用帯状水平材の傾斜領域が階段で構成されるので、安全性を向上させることが出来る。又、請求項４に記載の構成によれば、前記保安用帯状水平材の傾斜領域下端に於ける落下防止策の効果を十分に高めることが出来る。
【図面の簡単な説明】
【図１】本発明に係る保安装置を使用したオーバーヘッド搬送設備の要部を示す側面図である。
【図２】同縦断正面図である。
【図３】同保安装置の要部を示す斜視図である。
【図４】Ａ図及びＢ図は、それぞれ別の実施形態を示す縦断正面図である。
【符号の説明】
１，２８　　オーバーヘッド搬送設備
２　　パワーレール
３，３０　　搬送用走行体
４　　フリーレール
１１，３１　　開閉自在なハンガー
１２，２５　　昇降手段
１３　　昇降フリーレール
１５　　昇降ガイド支柱
１６，２６　　昇降体
１９　　保安装置
２０　　帯状水平材
２０ａ　　帯状水平材の端
２０ｃ　　帯状水平材の傾斜領域
２１　　手摺り用柵
２２　　昇降経路
２３　　落下防止策
２４　　柵
２４ａ　　柵上端
２７　　被搬送物支持台
２９　　ガイドレール
３２　　被搬送物支持手段
３４　　昇降吊下装置
【図１】
2004114985.tif 000003
【図２】
2004114985.tif 000004
【図３】
2004114985.tif 000005
【図４】
2004114985.tif 000006